(57)【要約】【課題】  利用者の現在位置に応じた各種情報の中から、利用者が本当に必要としている情報のみを容易に取得できるようにする。【解決手段】  店舗に設置されているLED照明装置300-11〜300-1mは、それぞれ赤、緑、青の３個のLEDから構成されている。通常状態では、各LEDからは、LED照明装置300-11〜300-1mの位置を示す位置情報が、可視光信号により出力されている。利用者が、LED照明装置300-11の照明範囲に携帯通信端末100をおき、位置情報送信指示を入力すると、携帯通信端末100は、LED照明装置300-11から出力されている位置情報をセンタサーバ400に送る。センタサーバ400は、上記位置情報に対応する店舗情報を照明制御装置200-1へ送信する。照明制御装置200-1は、店舗情報を構成する店舗案内情報、特売情報、商品説明情報を、それぞれLED照明装置300-11の赤，緑，青のLEDから出力する。【選択図】      図１
2006259813.tif 000002
【特許請求の範囲】
【請求項１】
センタサーバと、店舗内に設置されるＬＥＤ照明装置と、前記店舗内に設置され前記ＬＥＤ照明装置を制御する照明制御装置と、携帯通信端末とから構成される情報提供システムであって、
前記センタサーバが、
位置情報に対応付けて、店舗情報が種別分けされて登録された店舗情報記憶部と、
前記携帯通信端末から位置情報が送られてきたとき、該位置情報をキーにして前記店舗情報記憶部から店舗情報を検索し、該検索した店舗情報を前記位置情報によって特定される照明制御装置へ送信するサーバ側制御手段とを備え、
前記ＬＥＤ照明装置が、
発光色が異なる、前記店舗情報の種別数と同数のＬＥＤから構成され、
前記照明制御装置が、
前記センタサーバから店舗情報が送られてきてから所定期間の間は、前記ＬＥＤ照明装置を構成する各ＬＥＤから、そのＬＥＤに対応した種別の店舗情報を可視光信号により出力し、それ以外の期間は、前記ＬＥＤ照明装置を構成する各ＬＥＤから予め定められている位置情報を可視光信号により出力する制御装置側制御手段を備え、
前記携帯通信端末が、
ＬＥＤ照明装置から出力される位置情報を受信したとき、該受信した位置情報を前記センタサーバへ送信し、前記ＬＥＤ照明装置から出力された店舗情報を受信したとき、該店舗情報を出力する端末側制御手段を備えたことを特徴とする情報提供システム。
【請求項２】
請求項１記載の情報提供システムにおいて、
端末側制御手段が、前記センタサーバへ位置情報を送信する際、入力部から入力された会員ＩＤも前記センタサーバへ送信する構成を有し、
前記センタサーバが、会員ＩＤに対応付けて、会員の趣味を示す趣味情報および前記会員の嗜好を示す嗜好情報が登録された個人情報記憶部を備え、
前記店舗情報記憶部に格納されている各種別の店舗情報は、それぞれ趣味，嗜好別に区分され、
前記サーバ側制御手段が、前記端末制御手段から位置情報および会員ＩＤが送られてきたとき、前記位置情報をキーにして前記店舗情報記憶部から店舗情報を検索すると共に、前記会員ＩＤをキーにして前記個人情報記憶部から趣味情報および嗜好情報を検索し、該検索した趣味情報および嗜好情報によって前記検索した店舗情報を絞り込んだ後、前記位置情報によって特定される照明制御装置へ送信する構成を有することを特徴とする情報提供システム。
【請求項３】
請求項１記載の情報提供システムにおいて、
前記照明制御装置が、
前記ＬＥＤ照明装置を構成する各ＬＥＤ毎の発光パターン保持部と、
該各発光パターン保持部毎の駆動回路であって、対応する発光パターン保持部に格納されている発光パターンに従って対応するＬＥＤを駆動する駆動回路とを備え、
前記制御装置側制御手段が、前記センタサーバから店舗情報が送られてきたとき、前記各発光パターン保持部に、その発光パターン保持部に対応した種別の店舗情報に従った発光パターンを格納し、その後、一定時間が経過したとき、前記各発光パターン保持部に、予め定められている位置情報に対応する発光パターンを格納する構成を有することを特徴とする情報提供システム。
【請求項４】
請求項３記載の情報提供システムにおいて、
前記携帯通信端末が、
複数の光電変換素子が二次元状に配置された撮像部を備え、
前記端末側制御手段が、
前記二次元状に配置された光電変換素子の内の特定の光電変換素子から出力される電気信号に基づいて前記ＬＥＤ照明装置から出力される位置情報および店舗情報を解析する構成を有することを特徴とする情報提供システム。
【請求項５】
位置情報に対応付けて、店舗情報が種別分けされて登録された店舗情報記憶部と、
携帯通信端末から位置情報が送られてきたとき、該位置情報をキーにして前記店舗情報記憶部から店舗情報を検索し、該検索した店舗情報を前記位置情報によって特定される照明制御装置へ送信するサーバ側制御手段とを備えたことを特徴とするセンタサーバ。
【請求項６】
請求項５記載のセンタサーバにおいて、
会員ＩＤに対応付けて、会員の趣味を示す趣味情報および前記会員の嗜好を示す嗜好情報が登録された個人情報記憶部を備え、且つ、
前記店舗情報記憶部に格納されている各種別の店舗情報は、それぞれ趣味，嗜好別に区分され、
前記サーバ側制御手段が、前記端末制御手段から位置情報および会員ＩＤが送られてきたとき、前記位置情報をキーにして前記店舗情報記憶部から店舗情報を検索すると共に、前記会員ＩＤをキーにして前記個人情報記憶部から趣味情報および嗜好情報を検索し、該検索した趣味情報および嗜好情報によって前記検索した店舗情報を絞り込んだ後、前記位置情報によって特定される照明制御装置へ送信する構成を有することを特徴とするセンタサーバ。
【請求項７】
ＬＥＤ照明装置を構成する各ＬＥＤ毎の発光パターン保持部と、
該各発光パターン保持部毎の駆動回路であって、対応する発光パターン保持部に格納されている発光パターンに従って対応するＬＥＤを駆動する駆動回路と、
センタサーバから店舗情報が送られてきたとき、前記各発光パターン保持部に、その発光パターン保持部に対応した種別の店舗情報に従った発光パターンを格納し、その後、一定時間が経過したとき、前記各発光パターン保持部に、予め定められている位置情報に対応する発光パターンを格納する制御装置側制御手段を備えたことを特徴とする照明制御装置。
【請求項８】
請求項７記載の照明制御装置において、
前記各ＬＥＤ毎に、そのＬＥＤに対応する店舗情報の種別が登録された情報種別ＬＥＤ対応テーブルを備え、且つ、
前記制御装置側制御手段が、各種別の店舗情報に従ったパターンを発光パターン保持部に格納する際、前記情報種別ＬＥＤ対応テーブルの内容に基づいて、発光パターンの格納先にする発光パターン保持部を決定する構成を有することを特徴とする照明制御装置。
【請求項９】
複数の光電変換素子が二次元状に配置された撮像部と、
前記二次元状に配置された光電変換素子の内の特定の光電変換素子から出力される電気信号に基づいてＬＥＤ照明装置から出力される位置情報および店舗情報を解析し、前記解析した位置情報をセンタサーバへ送信し、前記解析した店舗情報を表示部に出力する端末側制御手段とを備えたことを特徴とする携帯通信端末。
【請求項１０】
位置情報に対応付けて、店舗情報が種別分けされて登録された店舗情報記憶部を備えたコンピュータを、
携帯通信端末から位置情報が送られてきたとき、該位置情報をキーにして前記店舗情報記憶部から店舗情報を検索し、該検索した店舗情報を前記位置情報によって特定される照明制御装置へ送信するサーバ側制御手段として機能させるためのプログラム。
【請求項１１】
ＬＥＤ照明装置を構成する各ＬＥＤ毎の発光パターン保持部と、該各発光パターン保持部毎の駆動回路であって、対応する発光パターン保持部に格納されている発光パターンに従って対応するＬＥＤを駆動する駆動回路とを備えたコンピュータを、
センタサーバから店舗情報が送られてきたとき、前記各発光パターン保持部に、その発光パターン保持部に対応した種別の店舗情報に従った発光パターンを格納し、その後、一定時間が経過したとき、前記各発光パターン保持部に、予め定められている位置情報に対応する発光パターンを格納する制御装置側制御手段として機能させるためのプログラム。
【請求項１２】
複数の光電変換素子が二次元状に配置された撮像部を有するコンピュータを、
前記二次元状に配置された光電変換素子の内の特定の光電変換素子から出力される電気信号に基づいてＬＥＤ照明装置から出力される位置情報および店舗情報を解析し、前記解析した位置情報をセンタサーバへ送信し、前記解析した店舗情報を表示部に出力する端末側制御手段として機能させるためのプログラム。
【発明の詳細な説明】
【技術分野】
【０００１】
本発明は、利用者の現在位置に応じた情報を利用者に配信する情報提供技術に関し、特に、利用者自身が必要とする情報のみを取得できるようにした情報提供技術に関する。
【背景技術】
【０００２】
近年、携帯電話機の普及に伴い、利用者の現在位置に応じた情報を利用者の携帯電話機に配信するということが行われるようになってきている。従来のこの種の技術としては、例えば、次のような技術が知られている（例えば、特許文献１参照）。
【０００３】
特許文献１に記載されている従来の技術は、利用者の携帯電話機と、携帯電話機に接続されたＧＰＳ(Global Positioning System)装置と、店舗情報が格納されたデータベースを有するサーバとから構成されている。そして、利用者が現在位置に応じた店舗情報を取得する場合には、ＧＰＳ装置を用いて現在位置を取得し、この現在位置を携帯電話機からサーバへ送信する。サーバは、利用者の携帯電話機から現在位置が送られてくると、現在位置を中心とする半径１Ｋｍ内の店舗情報をデータベースから検索し、検索した店舗情報を携帯電話機に送信する。携帯電話機は、サーバから店舗情報が送られてくると、それを表示部に表示する。
【０００４】
上記した特許文献１に記載されている従来の技術では、利用者の現在位置をＧＰＳ装置により検出するようにしているが、現在位置の検出方法としては、これ以外にも、各所に設置した照明からその設置位置を示す光信号を出力し、利用者が携帯する携帯機器において、照明から出力された光信号を電気信号に変換し、この電気信号に基づいて利用者の現在位置を検出するという方法も従来から知られている（例えば、特許文献２参照）。
【特許文献１】特開２００３−６０８１号公報
【特許文献２】特表２００２−５３０９６８号公報
【発明の開示】
【発明が解決しようとする課題】
【０００５】
上述した特許文献１に記載されている従来の技術によれば、利用者が、自身の現在位置に応じた店舗情報を取得することはできるが、次のような問題点があった。即ち、上述した従来の技術では、サーバから利用者の携帯電話機に対して、利用者の現在位置から所定範囲内に存在する全ての店舗の店舗情報を送信するようにしているため、利用者にとって不要な情報も数多く利用者の携帯電話機に送信されてしまう。このため、利用者は、多くの情報の中から本当に必要とする情報を探し出さなければならず、利便性が低かった。
【０００６】
〔発明の目的〕
そこで、本発明の目的は、利用者の現在位置に応じた情報の中から、利用者が本当に必要とする情報を容易に取得できるようにすることにある。
【課題を解決するための手段】
【０００７】
本発明にかかる第１の情報提供システムは、
センタサーバと、店舗内に設置されるＬＥＤ照明装置と、前記店舗内に設置され前記ＬＥＤ照明装置を制御する照明制御装置と、携帯通信端末とから構成される情報提供システムであって、
前記センタサーバが、
位置情報に対応付けて、店舗情報が種別分けされて登録された店舗情報記憶部と、
前記携帯通信端末から位置情報が送られてきたとき、該位置情報をキーにして前記店舗情報記憶部から店舗情報を検索し、該検索した店舗情報を前記位置情報によって特定される照明制御装置へ送信するサーバ側制御手段とを備え、
前記ＬＥＤ照明装置が、
発光色が異なる、前記店舗情報の種別数と同数のＬＥＤから構成され、
前記照明制御装置が、
前記センタサーバから店舗情報が送られてきてから所定期間の間は、前記ＬＥＤ照明装置を構成する各ＬＥＤから、そのＬＥＤに対応した種別の店舗情報を可視光信号により出力し、それ以外の期間は、前記ＬＥＤ照明装置を構成する各ＬＥＤから予め定められている位置情報を可視光信号により出力する制御装置側制御手段を備え、
前記携帯通信端末が、
ＬＥＤ照明装置から出力される位置情報を受信したとき、該受信した位置情報を前記センタサーバへ送信し、前記ＬＥＤ照明装置から出力された店舗情報を受信したとき、該店舗情報を出力する端末側制御手段を備えたことを特徴とする。
【０００８】
本発明にかかる第２の情報提供システムは、第１の情報提供システムにおいて、
端末側制御手段が、前記センタサーバへ位置情報を送信する際、入力部から入力された会員ＩＤも前記センタサーバへ送信する構成を有し、
前記センタサーバが、会員ＩＤに対応付けて、会員の趣味を示す趣味情報および前記会員の嗜好を示す嗜好情報が登録された個人情報記憶部を備え、
前記店舗情報記憶部に格納されている各種別の店舗情報は、それぞれ趣味，嗜好別に区分され、
前記サーバ側制御手段が、前記端末制御手段から位置情報および会員ＩＤが送られてきたとき、前記位置情報をキーにして前記店舗情報記憶部から店舗情報を検索すると共に、前記会員ＩＤをキーにして前記個人情報記憶部から趣味情報および嗜好情報を検索し、該検索した趣味情報および嗜好情報によって前記検索した店舗情報を絞り込んだ後、前記位置情報によって特定される照明制御装置へ送信する構成を有することを特徴とする。
【０００９】
本発明にかかる第３の情報提供システムは、第１の情報提供システムにおいて、
前記照明制御装置が、
前記ＬＥＤ照明装置を構成する各ＬＥＤ毎の発光パターン保持部と、
該各発光パターン保持部毎の駆動回路であって、対応する発光パターン保持部に格納されている発光パターンに従って対応するＬＥＤを駆動する駆動回路とを備え、
前記制御装置側制御手段が、前記センタサーバから店舗情報が送られてきたとき、前記各発光パターン保持部に、その発光パターン保持部に対応した種別の店舗情報に従った発光パターンを格納し、その後、一定時間が経過したとき、前記各発光パターン保持部に、予め定められている位置情報に対応する発光パターンを格納する構成を有することを特徴とする。
【００１０】
本発明にかかる第４の情報提供システムは、第３の情報提供システムにおいて、
前記携帯通信端末が、
複数の光電変換素子が二次元状に配置された撮像部を備え、
前記端末側制御手段が、
前記二次元状に配置された光電変換素子の内の特定の光電変換素子から出力される電気信号に基づいて前記ＬＥＤ照明装置から出力される位置情報および店舗情報を解析する構成を有することを特徴とする。
【００１１】
本発明にかかる第１のセンタサーバは、
位置情報に対応付けて、店舗情報が種別分けされて登録された店舗情報記憶部と、
携帯通信端末から位置情報が送られてきたとき、該位置情報をキーにして前記店舗情報記憶部から店舗情報を検索し、該検索した店舗情報を前記位置情報によって特定される照明制御装置へ送信するサーバ側制御手段とを備えたことを特徴とする。
【００１２】
本発明にかかる第２のセンタサーバは、第１のセンタサーバにおいて、
会員ＩＤに対応付けて、会員の趣味を示す趣味情報および前記会員の嗜好を示す嗜好情報が登録された個人情報記憶部を備え、且つ、
前記店舗情報記憶部に格納されている各種別の店舗情報は、それぞれ趣味，嗜好別に区分され、
前記サーバ側制御手段が、前記端末制御手段から位置情報および会員ＩＤが送られてきたとき、前記位置情報をキーにして前記店舗情報記憶部から店舗情報を検索すると共に、前記会員ＩＤをキーにして前記個人情報記憶部から趣味情報および嗜好情報を検索し、該検索した趣味情報および嗜好情報によって前記検索した店舗情報を絞り込んだ後、前記位置情報によって特定される照明制御装置へ送信する構成を有することを特徴とする。
【００１３】
本発明にかかる第１の照明制御装置は、
ＬＥＤ照明装置を構成する各ＬＥＤ毎の発光パターン保持部と、
該各発光パターン保持部毎の駆動回路であって、対応する発光パターン保持部に格納されている発光パターンに従って対応するＬＥＤを駆動する駆動回路と、
センタサーバから店舗情報が送られてきたとき、前記各発光パターン保持部に、その発光パターン保持部に対応した種別の店舗情報に従った発光パターンを格納し、その後、一定時間が経過したとき、前記各発光パターン保持部に、予め定められている位置情報に対応する発光パターンを格納する制御装置側制御手段を備えたことを特徴とする。
【００１４】
本発明にかかる第２の照明制御装置は、第１の照明制御装置において、
前記各ＬＥＤ毎に、そのＬＥＤに対応する店舗情報の種別が登録された情報種別ＬＥＤ対応テーブルを備え、且つ、
前記制御装置側制御手段が、各種別の店舗情報に従ったパターンを発光パターン保持部に格納する際、前記情報種別ＬＥＤ対応テーブルの内容に基づいて、発光パターンの格納先にする発光パターン保持部を決定する構成を有することを特徴とする。
【００１５】
本発明にかかる携帯通信端末は、
複数の光電変換素子が二次元状に配置された撮像部と、
前記二次元状に配置された光電変換素子の内の特定の光電変換素子から出力される電気信号に基づいてＬＥＤ照明装置から出力される位置情報および店舗情報を解析し、前記解析した位置情報をセンタサーバへ送信し、前記解析した店舗情報を表示部に出力する端末側制御手段とを備えたことを特徴とする。
【００１６】
本発明にかかる第１のプログラムは、
位置情報に対応付けて、店舗情報が種別分けされて登録された店舗情報記憶部を備えたコンピュータを、
携帯通信端末から位置情報が送られてきたとき、該位置情報をキーにして前記店舗情報記憶部から店舗情報を検索し、該検索した店舗情報を前記位置情報によって特定される照明制御装置へ送信するサーバ側制御手段として機能させる。
【００１７】
本発明にかかる第２のプログラムは、
ＬＥＤ照明装置を構成する各ＬＥＤ毎の発光パターン保持部と、該各発光パターン保持部毎の駆動回路であって、対応する発光パターン保持部に格納されている発光パターンに従って対応するＬＥＤを駆動する駆動回路とを備えたコンピュータを、
センタサーバから店舗情報が送られてきたとき、前記各発光パターン保持部に、その発光パターン保持部に対応した種別の店舗情報に従った発光パターンを格納し、その後、一定時間が経過したとき、前記各発光パターン保持部に、予め定められている位置情報に対応する発光パターンを格納する制御装置側制御手段として機能させる。
【００１８】
本発明にかかる第３のプログラムは、
複数の光電変換素子が二次元状に配置された撮像部を有するコンピュータを、
前記二次元状に配置された光電変換素子の内の特定の光電変換素子から出力される電気信号に基づいてＬＥＤ照明装置から出力される位置情報および店舗情報を解析し、前記解析した位置情報をセンタサーバへ送信し、前記解析した店舗情報を表示部に出力する端末側制御手段として機能させる。
【００１９】
〔作用〕
センタサーバには、位置情報に対応付けて店舗情報が登録された店舗情報記憶部が設けられている。上記店舗情報は、店舗案内情報、特売情報、商品説明情報などのように、種別分けされて店舗情報記憶部に登録されている。
【００２０】
店舗には、ＬＥＤ照明装置と、これを制御する照明制御装置とが設けられている。ＬＥＤ照明装置は、店舗情報の種別数と同数のＬＥＤから構成され、各ＬＥＤの発光色は、それぞれ異なるものになっている。通常時、ＬＥＤ照明装置を構成する各ＬＥＤからは、予め定められている位置情報が可視光信号により出力されている。
【００２１】
利用者は、店舗において店舗情報を参照する場合、自身の携帯通信端末を用いてＬＥＤ照明装置から出力されている位置情報を受信し、受信した位置情報をセンタサーバへ送信する。
【００２２】
センタサーバは、携帯通信端末から位置情報が送られてくると、店舗情報記憶部から上記位置情報と対応付けて登録されている店舗情報を検索し、上記位置情報によって特定される照明制御装置へ送信する。
【００２３】
照明制御装置は、センタサーバから店舗情報が送られてくると、ＬＥＤ照明装置を構成する、例えば赤のＬＥＤからは店舗案内情報を、緑のＬＥＤからは特売情報を出力するというように、ＬＥＤ照明装置を構成する各ＬＥＤから、そのＬＥＤに対応した種別の店舗情報を可視光信号により出力する。
【００２４】
利用者は、店舗案内情報、特売情報、商品説明情報などの各種情報を含む店舗情報の内の、例えば、特売情報を取得したい場合は、自身の携帯通信端末を用いて緑のＬＥＤから出力されている特売情報を受信する。これにより、利用者は、各種情報の中から自身が必要とする情報（特売情報）のみを取得することが可能になる。
【発明の効果】
【００２５】
本発明によれば、利用者の現在位置に応じた各種情報の中から、利用者が本当に必要としている情報のみを容易に取得することが可能になる。その理由は、照明制御装置が、センタサーバから店舗案内情報、特売情報などの各種情報を含む店舗情報が送られてきたとき、ＬＥＤ照明装置を構成する赤のＬＥＤからは店舗案内情報を、緑のＬＥＤからは特売情報を出力するというように、ＬＥＤ照明装置を構成する各ＬＥＤから、そのＬＥＤに対応した種別の店舗情報を可視光信号により出力するようにしているからである。
【発明を実施するための最良の形態】
【００２６】
次に本発明の実施の形態について図面を参照して詳細に説明する。
【００２７】
〔実施の形態の構成の説明〕
図１は本発明にかかる情報提供システムの実施の形態の全体構成例を示すブロック図であり、利用者が携帯する携帯通信端末100と、各店舗に設置される照明制御装置200-1〜200-nと、照明制御装置200-1〜200-nによって制御されるＬＥＤ照明装置300-11〜300-nmと、センタサーバ400とから構成されており、それらは通信ネットワーク500を介して相互に接続されている。なお、本実施の形態では、各ＬＥＤ照明装置300-11〜300-nmの位置情報は、それぞれＰ11〜Ｐnmになっているとする。また、各照明制御装置200-1〜200-nのアドレスがＡ１〜Ａｎになっているとする。
【００２８】
センタサーバ400は、プログラム制御により動作するワークステーション・サーバ等の情報処理装置であって、携帯通信端末100から会員ＩＤおよび位置情報を含む店舗情報表示要求が送られてきたとき、上記位置情報によって特定される照明制御装置200-i（１≦ｉ≦ｎ）に上記位置情報によって特定される店舗情報を送信する機能を有する。
【００２９】
このような機能を有するセンタサーバ400は、例えば、図２に示す構成を有する。同図を参照すると、センタサーバ400は、送受信手段401と、制御手段402と、位置アドレス対応テーブル403と、位置情報レジスタ404と、会員ＩＤレジスタ405と、検索結果保持部406と、検索手段407と、記憶装置408とを備えている。
【００３０】
記憶装置408には、店舗情報記憶部409と、個人情報記憶部410とが設けられている。
【００３１】
店舗情報記憶部409には、各ＬＥＤ照明装置300-11〜300-nmの位置情報Ｐ11〜Ｐnmに対応付けて、店舗情報が格納されている。本実施の形態では、店舗情報は、店舗案内情報、特売情報および商品説明情報の３種類の情報から構成されているとする。図３に店舗情報記憶部409の内容例を示す。同図の例において、第１番目のレコードは、位置情報Ｐ11によって特定されるＬＥＤ照明装置300-11に対する店舗案内情報、特売情報および商品説明情報がそれぞれＸ11、Ｙ11、Ｚ11であることを示している。また、本実施の形態では、各種情報は、それぞれ趣味，嗜好別に区分されている。
【００３２】
個人情報記憶部410には、利用者の会員ＩＤに対応付けて、利用者の趣味を示す趣味情報と、嗜好を示す嗜好情報とが登録されている。図４に個人情報記憶部410の内容例を示す。同図の例は、会員ＩＤ「ＩＤ１」の利用者は、趣味がスキーで、嗜好品がワインであることを示している。
【００３３】
位置アドレス対応テーブル403には、位置情報と、それに対応する照明制御装置のアドレスとが対応付けて登録されている。図５に位置アドレス対応テーブル403の内容例を示す。同図の例は、ＬＥＤ照明装置300-11，300-12の位置情報Ｐ11，Ｐ12に対応するアドレスが、上記ＬＥＤ照明装置300-11，300-12を制御する照明制御装置200-1のアドレス「Ａ１」となっている。
【００３４】
送受信手段401は、通信ネットワーク500を介してデータを送受信する機能を有する。
【００３５】
制御手段402は、携帯通信端末100から会員ＩＤおよび位置情報を含んだ店舗情報表示要求が送られてきたとき、位置情報および会員ＩＤを位置情報レジスタ404および会員ＩＤレジスタ405にセットし、検索手段407に該当する店舗情報を検索させる機能や、検索結果保持部406に保持されている検索手段407の検索結果と上記位置情報とを含む検索店舗情報を、上記位置情報と位置アドレス対応テーブル403の内容とによって特定される照明制御装置へ送信する機能を有する。
【００３６】
検索手段407は、位置情報レジスタ404にセットされた位置情報をキーにして店舗情報記憶部409から店舗情報を検索すると共に、会員ＩＤレジスタ405にセットされた会員ＩＤをキーにして個人情報記憶部410から趣味情報および嗜好情報を検索し、この検索した趣味情報および嗜好情報によって店舗情報の絞り込みを行い、絞り込み後の店舗情報を検索結果保持部406に格納する機能を有する。
【００３７】
上記した機能を有するセンタサーバ400は、コンピュータによって実現可能なものであり、コンピュータによって実現する場合は、例えば、次のようにする。コンピュータを、センタサーバ400として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、送受信手段401、制御手段402、検索手段407を実現する。
【００３８】
照明制御装置200-1〜200-nは、各店舗にそれぞれ１台設置され、その店舗内に設置されているＬＥＤ照明装置300-11〜300-nmを制御する機能を有する。
【００３９】
図６のブロック図を参照すると、照明制御装置200-1は、ｍ個のＬＥＤ照明装置300-11〜300-1mを制御している。ＬＥＤ照明装置300-11は、発光色が赤，緑，青のＬＥＤ301-1R，301-1G，301-1Bから構成されている。ＬＥＤ照明装置300-11を構成するＬＥＤの数は、店舗情報の種別数と同数となっており、赤，緑，青がそれぞれ店舗案内情報，特売情報，商品説明情報に対応している。なお、本実施の形態では、店舗情報の種別数を「３」としているので、ＬＥＤ照明装置を構成するＬＥＤ数が「３」となるが、これはあくまで一例である。また、ＬＥＤ照明装置300-11〜300-nmの設置位置は、店舗において自由に決められるものであり、例えば、各階に１台設置するとか、各売り場毎に１台設置するなど、店舗において自由に決めることができる。
【００４０】
また、図６のブロック図を参照すると、照明制御装置200-1は、送受信手段201と、制御手段202と、位置ＬＥＤ対応テーブル203と、情報種別ＬＥＤ対応テーブル204と、各ＬＥＤ301-1R〜301-mB毎の発光パターン保持部205-1R〜205-mBと、駆動回路206-1R〜206-mBとから構成されている。なお、他の照明制御装置も、照明制御装置200-1と同様の構成を有している。
【００４１】
位置ＬＥＤ対応テーブル203には、位置情報に対応付けて、その位置に配置されているＬＥＤ照明装置を構成する各ＬＥＤのＬＥＤ番号が登録されている。図７に位置ＬＥＤ対応テーブル203の内容例を示す。同図の例は、位置情報Ｐ11に対応する位置に配置されているＬＥＤ照明装置300-11を構成する各ＬＥＤのＬＥＤ番号がそれぞれ301-1R，301-1G，301-1Bであることを示している。
【００４２】
情報種別ＬＥＤ対応テーブル204には、店舗情報の種別に対応付けて、その種別の店舗情報を出力するＬＥＤのＬＥＤ番号が登録されている。図８に情報種別ＬＥＤ対応テーブル204の内容例を示す。同図の例は、店舗案内情報を出力するＬＥＤのＬＥＤ番号が「301-1R，301-2R，…，301-mR」、特売情報を出力するＬＥＤのＬＥＤ番号が「301-1G，301-2G，…，301-mG」、商品説明情報を出力するＬＥＤのＬＥＤ番号が「301-1B，301-2B，…，301-mB」であることを示している。
【００４３】
送受信手段201は、通信ネットワーク500を介してデータを送受信する機能を有する。
【００４４】
制御手段202は、センタサーバ400から位置情報および店舗情報を含む検索店舗情報が送られてきたとき、位置ＬＥＤ対応テーブル203，情報種別ＬＥＤ対応テーブル204の内容に基づいて、上記店舗情報に含まれている各種の情報の出力先にするＬＥＤを決定する機能や、出力先のＬＥＤと対応する発光パターン保持部に、出力情報に応じた発光パターンを格納する機能を有する。例えば、センタサーバ400から位置情報「Ｐ11」と店舗情報（店舗案内情報、特売情報、商品説明情報）とを含む検索店舗情報が送られてきた場合には、位置ＬＥＤ対応テーブル203から出力先にするＬＥＤのＬＥＤ番号「301-1R，301-1G，301-1B」を取得し、更に、情報種別ＬＥＤ対応テーブル204に内容に基づいて、店舗案内情報、特売情報、商品説明情報の出力先をそれぞれＬＥＤ301-1R，301-1G，301-1Bにすることを決定する。更に、ＬＥＤ301-1R，301-1G，301-1Bに対応する発光パターン保持部205-1R，205-1G，205-1Bにそれぞれ店舗案内情報、特売情報、商品説明情報に応じた発光パターンを設定する。更に、制御手段202は、発光パターン保持部に店舗情報に応じた発光パターンを設定した後、所定時間が経過すると、上記発光パターン保持部に予め定められている位置情報に対応する発光パターンを設定する機能を有する。例えば、発光パターン保持部205-1R，205-1G，205-1Bに店舗情報に応じた発光パターンを設定した場合は、所定時間が経過すると、発光パターン保持部205-1R，205-1G，205-1Bに位置情報Ｐ11に対応する発光パターンを設定する。
【００４５】
駆動回路206-1R〜206-mBは、対応する発光パターン保持部205-1R〜205-mRに保持されている発光パターンに従って、対応するＬＥＤ301-1R〜301-mBを駆動（点滅）させる機能を有する。
【００４６】
上記した機能を有する照明制御装置200-1は、コンピュータによって実現可能であり、コンピュータによって実現する場合は、例えば、次のようにする。コンピュータを照明制御装置200-1として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、送受信手段201および制御手段202を実現する。
【００４７】
携帯通信端末100は、プログラム制御により動作し、通信ネットワーク500との接続が可能な、携帯電話機やＰＤＡ(Personal Digital Assistants)などの通信端末である。更に、図９および図１０を参照して詳細に説明すると、携帯通信端末100は、上部筐体と下部筐体がヒンジを介して開閉可能に結合された折畳み型携帯電話端末であって、アンテナを介して無線基地局との間で無線信号を送受する無線部101と、上部筐体内面/外面に配設され、画像情報の取得（撮影）を行う撮像部102（102a/102b）と、上部筐体内面/外面に配設され文字、画像などの各種情報表示出力を行う表示部103（103a/103b）と、下側筐体内面に配設された各種情報操作入力を行う、テンキー、スクロール/決定キー、および下側筐体側面に配設され上部筐体と下部筐体が閉じた状態でも操作可能なサイドボタンを含み構成される操作部104(104a/104b/104c)と、音声信号処理を行う送受話部105への入力、出力を行うマイク107およびスピーカ（受話用）106と、楽音、報知音などを出力するスピーカ（報知用）108と、電話帳情報、送受信メール情報、発着呼情報、コンテンツ情報、プログラム情報、携帯電話端末の各種設定などを格納する記憶部109と、電話機能、メール機能、ｗｅｂ接続（インターネット接続）機能、カメラ機能、可視光による情報取得/出力機能、および携帯通信端末各部の制御を行う制御手段110とから主に構成される。
【００４８】
制御手段110は、本発明特有の構成として、図１１に示すように位置情報送信手段1101と、店舗情報表示手段1102とを備えている。
【００４９】
位置情報送信手段1101は、操作部104から位置情報送信指示が入力されると、複数の光電変換素子が二次元状に配置されている光電変換部（図示せず）を有する撮像部102に対して撮像指示を出力し、所定時間連続的に撮像動作を行わせる機能や、上記複数の光電変換素子の内の、特定の１個の光電変換素子から出力される信号を、記憶部109内の位置情報記憶部1091に格納する機能や、位置情報記憶部1091に格納されている信号によって示される位置情報と自身の会員ＩＤとを含む店舗情報表示要求を無線部101を介してセンタサーバ400へ送信する機能を有する。
【００５０】
また、店舗情報表示手段1102は、操作部104から店舗情報表示指示が入力されると、撮像部102に対して撮像指示を出力し、所定時間連続的に撮像動作を行わせる機能や、撮像部102内の、特定の１個の光電変換素子から出力される信号を、記憶部109内の店舗情報記憶部1092に格納する機能や、店舗情報記憶部1092に格納されている信号によって示される店舗情報を表示部103やスピーカ106に出力する機能を有する。
【００５１】
このような機能を有する制御手段110は、例えば、コンピュータ（ＣＰＵ）によって実現可能であり、コンピュータによって実現する場合には、例えば、次のようにする。コンピュータを制御手段110として機能させるプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、位置情報送信手段1101および店舗情報表示手段1102を実現する。
【００５２】
〔実施の形態の動作の説明〕
次に本実施の形態の動作について詳細に説明する。
【００５３】
今、携帯通信端末100を携帯している利用者が、照明制御装置200-1およびＬＥＤ照明装置300-11〜300-1mが設置されている店舗に出向いたとする。
【００５４】
店舗内に設置されている各ＬＥＤ照明装置300-11〜300-1mの構成要素であるＬＥＤ301-1R〜301-mBは、それぞれ照明制御装置200-1内の駆動回路206-1R〜206-mBにより高周波点滅制御（高速でＯＮ/ＯＦＦ）され、通常状態では、自身の位置を示す位置情報を可視光信号により出力している（図１２のステップＳ121）。
【００５５】
利用者は、店舗情報（店舗案内情報、特売情報および商品説明情報の３種類の情報から構成されている）を参照したい場合、最寄りのＬＥＤ照明装置（例えば、ＬＥＤ照明装置300-11とする）の設置場所に出向き、携帯通信端末100をＬＥＤ照明装置300-11の照明範囲内におく。その後、利用者は、操作部104から位置情報送信指示を入力する。
【００５６】
これにより、位置情報送信手段1101が、撮像部102に対して撮像指示を出力し、撮像部102が、ＬＥＤ照明装置300-11から出力されている可視光信号による位置情報を電気信号（例えば、“１”，“０”の２値信号）に変換し、出力する。位置情報送信手段1101は、撮像部102から出力されている電気信号の内の、特定の光電変換素子から出力されている電気信号に従った値を位置情報記憶部1091に格納し、その後、位置情報記憶部1091に格納されている値によって示される位置情報と利用者の会員ＩＤとを含む店舗情報表示要求を無線部101を介してセンタサーバ400へ送信する（ステップＳ122〜Ｓ124）。即ち、位置情報送信手段1101は、位置情報記憶部1091に格納されている値を解析して位置情報を求め、この位置情報と利用者の会員ＩＤとを含む店舗情報表示要求をセンタサーバ400へ送信する。
【００５７】
センタサーバ400内の制御手段402は、位置情報および会員ＩＤを含む店舗情報表示要求を受信すると、位置情報および会員情報を位置情報レジスタ404および会員ＩＤレジスタ405にセットし、検索手段407を起動する（ステップＳ125）。
【００５８】
検索手段407は、先ず、位置情報レジスタ404にセットされている位置情報をキーにして店舗情報記憶部409から店舗情報を検索し、次いで、会員ＩＤ記憶部405にセットされている会員ＩＤをキーにして個人情報記憶部410から趣味情報および嗜好情報を検索する。その後、検索手段407は、上記趣味情報および嗜好情報に従って、検索した店舗情報を絞り込み、絞り込んだ店舗情報を検索結果保持部406に格納する。即ち、検索した店舗情報の中から、上記趣味情報および嗜好情報に合致したものだけを選択し、選択した店舗情報を検索結果保持部406に格納する（ステップＳ126）。
【００５９】
制御部402は、検索結果保持部406に保持されている検索結果と、位置情報レジスタ404にセットされている位置情報とを含む検索店舗情報を、照明制御装置200-1へ送信する（ステップＳ127）。なお、検索店舗情報の送信先にする照明制御装置200-1のアドレスは、上記位置情報をキーにして位置アドレス対応テーブル403を検索することにより求めることができる。
【００６０】
照明制御装置200-1内の制御手段202は、店舗情報および位置情報を含む検索店舗情報を受信すると（ステップＳ128）、次のような処理を行う。
【００６１】
位置ＬＥＤ対応テーブル203，情報種別ＬＥＤ対応テーブル204の内容に基づいて、上記店舗情報に含まれている各種の情報の出力先にするＬＥＤを決定し、出力先のＬＥＤと対応する発光パターン保持部に、出力情報に応じた発光パターンを格納する。例えば、センタサーバ400から位置情報「Ｐ11」と店舗情報（店舗案内情報、特売情報、商品説明情報）とを含む検索店舗情報が送られてきた場合には、位置ＬＥＤ対応テーブル203から出力先にするＬＥＤのＬＥＤ番号「301-1R，301-1G，301-1B」を取得し、更に、情報種別ＬＥＤ対応テーブル204の内容に基づいて、店舗案内情報、特売情報、商品説明情報の出力先をそれぞれＬＥＤ301-1R，301-1G，301-1Bにすることを決定する。更に、ＬＥＤ301-1R，301-1G，301-1Bに対応する発光パターン保持部205-1R，205-1G，205-1Bにそれぞれ店舗案内情報、特売情報、商品説明情報に応じた発光パターンを設定する。これにより、駆動回路206-1R，206-1G，206-1Bが発光パターン保持部205-1R，205-1G，205-1Bに保持されている発光パターンに従ってＬＥＤ301-1R，301-1G，301-1Bを駆動（高周波点滅）し、各ＬＥＤ301-1R，301-1G，301-1Bから店舗案内情報、特売情報、商品説明情報が出力される（ステップＳ129）。なお、制御手段202は、発光パターン保持部205-1R，205-1G，205-1Bに店舗情報に応じた発光パターンを設定した後、所定時間が経過すると、発光パターン保持部205-1R，205-1G，205-1Bに位置情報Ｐ11に対応する発光パターンを設定する（ステップＳ130）。
【００６２】
利用者は、例えば、店舗情報の内の店舗案内情報を受信したい場合は、赤のＬＥＤ301-1Rの照明範囲に携帯通信端末100をおき、操作部104から店舗情報表示指示を入力する。これにより、店舗情報表示手段1102が、撮像部102に対して撮像指示を出力し、撮像部102が、ＬＥＤ301-1Rから出力されている可視光信号による店舗案内情報を電気信号（例えば、“１”，“０”の２値信号）に変換し、出力する。店舗情報表示手段1102は、撮像部102から出力されている電気信号の内の、特定の光電変換素子から出力されている電気信号に従った値を店舗情報記憶部1092に格納し、その後、店舗情報記憶部1092に格納されている値によって示される店舗案内情報を表示部103やスピーカ106に出力する（ステップＳ131，Ｓ132）。
【００６３】
また、例えば、店舗情報の内の特売情報を受信したい場合は、利用者は、緑のＬＥＤ301-1Gの照明範囲に携帯通信端末100をおき、操作部104から店舗情報表示指示を入力し、商品説明情報を受信したい場合は、青のＬＥＤ301-1Bの照明範囲に携帯通信端末100をおき、操作部104から店舗情報表示指示を入力すれば良い。これにより、前述した処理と同様の処理が行われ、特売情報や、商品説明情報が表示部103やスピーカ106から出力される。
【００６４】
なお、携帯通信端末100の撮像部102に、ＬＥＤ301-1R，301-1G，301-1Bから出力される可視光を選択的に透過する光学フィルタを設け、可視光を選択受信することで不要な情報の取得を行わないようにしても良い。
【００６５】
〔実施の形態の効果〕
本実施の形態によれば、利用者の現在位置に応じた各種情報の中から、利用者が本当に必要としている情報のみを容易に取得することが可能になる。その理由は、照明制御装置200-1が、センタサーバ400から店舗案内情報、特売情報などの各種情報を含む店舗情報が送られてきたとき、ＬＥＤ照明装置300-11を構成する赤のＬＥＤ301-1Rからは店舗案内情報を、緑のＬＥＤ301-1Gからは特売情報を出力するというように、ＬＥＤ照明装置200-1を構成する各ＬＥＤから、そのＬＥＤに対応した種別の店舗情報を可視光信号により出力するようにしているからである。
【００６６】
また、本実施の形態によれば、利用者が本当に必要としている情報のみを取得することが可能になるという効果もある。その理由は、センタサーバ400の制御手段402が、利用者の趣味情報や嗜好情報に基づいて店舗情報の絞り込みを行っているからである。
【図面の簡単な説明】
【００６７】
【図１】本発明にかかる情報提供システムの実施の形態の全体構成例を示すブロック図である。
【図２】センタサーバ400の構成例を示すブロック図である。
【図３】店舗情報記憶部409の内容例を示す図である。
【図４】個人情報記憶部410の内容例を示す図である。
【図５】位置アドレス対応テーブル403の内容例を示す図である。
【図６】照明制御装置200-1およびＬＥＤ照明装置300-11〜300-1mの構成例を示すブロック図である。
【図７】位置ＬＥＤ対応テーブル203の内容例を示す図である。
【図８】情報種別ＬＥＤ対応テーブル204の内容例を示す図である。
【図９】携帯通信端末100の内部構成例を示すブロック図である。
【図１０】携帯通信端末100の外観図である。
【図１１】制御手段110の構成例を示すブロック図である。
【図１２】実施の形態の動作を説明するためのフローチャートである。
【符号の説明】
【００６８】
100…携帯通信端末
101…無線部
102…撮像部
103…表示部
104…操作部
105…送受話部
106…スピーカ
107…マイク
108…スピーカ
109…記憶部
110…制御手段
200-1〜200-n…照明制御装置
201…送受信手段
202…制御手段
203…位置ＬＥＤ対応テーブル
204…情報種別ＬＥＤ対応テーブル
205-1R〜205-mB…発光パターン保持部
206-1R〜206-mB…駆動回路
300-11〜300-nm…ＬＥＤ照明装置
301-1R〜301-mB…ＬＥＤ
400…センタサーバ
401…送受信手段
402…制御手段
403…位置アドレス対応テーブル
404…位置情報レジスタ
405…会員ＩＤレジスタ
406…検索結果保持部
407…検索手段
408…記憶装置
409…店舗情報記憶部
410…個人情報記憶部
500…通信ネットワーク
【図１】
2006259813.tif 000003
【図２】
2006259813.tif 000004
【図３】
2006259813.tif 000005
【図４】
2006259813.tif 000006
【図５】
2006259813.tif 000007
【図６】
2006259813.tif 000008
【図７】
2006259813.tif 000009
【図８】
2006259813.tif 000010
【図９】
2006259813.tif 000011
【図１０】
2006259813.tif 000012
【図１１】
2006259813.tif 000013
【図１２】
2006259813.tif 000014